(57)【要約】【課題】ドアがわずかに開いた状態であっても車両外部から光源が視認され、もってドア開成に関わる注意喚起の機能に優れた車両用灯具を提供すること。【解決手段】ＬＥＤ光源１１、及び、前記ドア２のフランジ２１１の車室側に固定されるとともにＬＥＤ光源１１からの射出光を導光する導光体１３から灯具１を構成し、そして、前記導光体１３に関し、該導光体１３の一部（固定されない部分）が前記ドア２の閉成時にあっても車外に露呈する露呈部として形成し、更に、前記導光体１３に、前記ＬＥＤ光源１１の射出光の一部を車両後方側に透過する透過面１８１、及び、前記射出光の他の一部を前記露呈部１７に向けて反射する反射面１８３から成る第一湾曲部１８を形成した。【選択図】図１
2008265481.tif 000002
【特許請求の範囲】
【請求項１】
光源と、前記ドアの車両後方側縁部の車室側に固定され、前記光源からの射出光を導光する導光体とを備え、
前記導光体は、該導光体の一部が前記ドアの閉成時に車外に露呈する露呈部として形成され、
該導光体に、前記射出光の一部を車両後方側に透過する透過面と、前記射出光の他の一部を前記露呈部に向けて反射する反射面とを有する第一湾曲部が形成されることを特徴とする車両用灯具。
【請求項２】
請求項１に記載の車両用灯具において、
前記第一湾曲部は、前記導光体が、前記ドアの車両後方側縁部において車室側から車外側に向けて湾曲するように形成されることを特徴とする車両用灯具。
【請求項３】
請求項２に記載の車両用灯具において、
前記導光体に、前記導光体の一部が、前記ドアの車両後方側縁部と車両前後方向で重なるように湾曲する第二湾曲部が形成され、
該第二湾曲部には、前記射出光の一部を車幅方向外側に透過する透過面と、前記射出光の他の一部を前記導光体の一部の車両前方側端部に向けて反射する反射面とが形成されることを特徴とする車両用灯具。
【請求項４】
請求項１乃至３のいずれか１項に記載の車両用灯具において、
前記光源は、該光源の射出光が車両後方向に光軸を有するように設けられ、
前記導光体には、前記光軸上に形成されるとともに、前記光軸を前記第一湾曲部の方向へ屈折させる入射面が形成されていること特徴とする車両用灯具。
【請求項５】
請求項１乃至４のいずれか１項に記載の車両用灯具において、
該灯具は、前記ドアの車両後方側縁部の上下方向中央よりも上方の位置に設けられることを特徴とする車両用灯具。
【発明の詳細な説明】
【技術分野】
【０００１】
本発明は、車両用ドアに取り付けられる車両用灯具に関する。
【背景技術】
【０００２】
従来、車両用灯具として、例えば、特許文献１に記載されたものが知られている。
この車両用灯具は、乗員乗降時のドアの開成に連動して点灯し、乗員の足元や車室を照射して乗員乗降をサポートし、また、車両後方を照射して第三者（車両の乗員や歩行者等）に対してドア開成（乗員下車）に関わる注意喚起を行うといった多機能を備えている。
【０００３】
この車両用灯具は、車室内を照射する照明部、車両下方を照射する照明部及び車両後方を照射する照明部が一体形成されるようにカットされたレンズがハウジングに取り付けられ、このハウジングが車両用ドアの車室側（ドアトリム等）に取り付けられるといった構成が採られている。
この車両用灯具によれば、車両において複数箇所に灯具を設けることなく、一箇所に設けられた灯具から異なる方向に光を配光して、前記乗降サポート及びドア開成に関わる注意喚起の各機能を得ることができる。
【特許文献１】特開２００５―２８０６５７号公報
【発明の開示】
【発明が解決しようとする課題】
【０００４】
しかし、従来の車両用灯具は、ドアの車両後方部においてドアトリムからドアアウタパネル内側にかけて取り付けられているため、ドアがわずかに開いた状態では、車両後方への照射がないか照射量が少なく、車両後方の第三者に対しては、ドア開成に関わる注意喚起が遅滞し、また、車両前方の第三者にとっては、ドア開成に関わる注意喚起の機能が発揮されないという問題があった。
【０００５】
本発明は、上記問題に着目してなされたもので、ドアがわずかに開いた状態であっても車両外部から光源が視認され、もってドア開成に関わる注意喚起の機能に優れた車両用灯具を提供することを課題とする。
【課題を解決するための手段】
【０００６】
上記課題を解決するため、本発明では、光源と、前記ドアの車両後方側縁部の車室側に固定され、前記光源からの射出光を導光する導光体とを備え、
前記導光体は、該導光体の一部が前記ドアの閉成時に車外に露呈する露呈部として形成され、
該導光体に、前記射出光の一部を車両後方側に透過する透過面と、前記射出光の他の一部を前記露呈部に向けて反射する反射面とを有する第一湾曲部が形成されることを特徴とする。
【０００７】
本発明の車両用灯具では、光源から射出される光（射出光）を所望の方向に配光するために導光体を設け、この導光体を、車両用ドアのアウタパネルの車両後方側の縁部（例えば、ドア開放端のフランジ）の車室側に取り付ける。
車両用灯具をかかる位置に取り付けることで、車両用ドアの内側（車室内）を照射する機能を維持しつつ、導光体の一部を車両用ドアの閉成状態にあっても車外に露呈するように形成することができ、従って、車両用ドアがわずかに開いた状態であっても、車両外部の第三者に対し、この車両用灯具の光源ないし射出光を容易に視認させることができるようになる。
【０００８】
本発明の車両用灯具では、上記構成の採用と併せ、導光体に、光源の射出光の一部を車両後方に透過して射出するための透過面と、この射出光の他の一部をこの導光体の車外に露呈した部分（露呈部）に向けて反射する反射面とから構成される湾曲部（第一湾曲部）を設けている。
このため、射出光のうち第一反射面で反射されない部分は、そのまま透過して車両後方に射出され、射出光のうち第一反射面で反射された部分は、導光体の露呈部に効率よく導光されて車両側方に射出される。
【０００９】
従って、本発明の車両用灯具にあっては、車両用ドアがわずかに開かれた状態であっても、車両の後方から側方の第三者によって射出光が視認され、更に、車両用ドアが一定量以上開かれた状態にあっては、露呈部は車両前方からも視認されるため、車両前方の第三者によっても射出光が視認されるようになる。
【発明の効果】
【００１０】
その結果、本発明によれば、ドア開成に関わる注意喚起機能に優れた車両用灯具を実現できる。
【発明を実施するための最良の形態】
【００１１】
以下、本発明の車両用灯具を実現する最良の実施形態を、図面に基づいて説明する。
【実施例】
【００１２】
〔実施例１〕
はじめに、構成を説明する。
図１は、実施例１の車両用灯具（以下、「灯具」と記す。）１の構造図であり、この灯具１が車両に取り付けられる様子は、図２Ａ又は図２Ｂの如くである。
【００１３】
図２Ａは、灯具１の一部（固定部分よりも車両後方側）の先端が、ドア２のフランジ２１１の外側面に隣接するように取り付けられる様子であり、図２Ｂは、灯具１の一部の先端が、フランジ２１１の外側面よりも大きく沈んで位置するように取り付けられる様子である。
【００１４】
図２Ａの取り付け方は、灯具１の射出光の外部からの視認性の向上を重視したものであり、図２Ｂの取り付け方は、灯具１が外部から目立たなくする点を重視したものである。いずれの取り付け方によっても、照射の可能範囲に大差はない。
【００１５】
実施例１の灯具１は、図２Ａ又は図２Ｂに示されるように閉成時のドア（フロントドア）２のアウタパネル２１の車両後方側に位置するフランジ２１１とピラー３とで形成される間隙に挟み込まれるようにして取り付けられている。この取り付け位置の制約上、灯具１は小型化されることが重要となり、このため、光源としてＬＥＤ（Ｌｉｇｈｔ Ｅｍｉｔｔｉｎｇ Ｄｉｏｄｅ：発光ダイオード）光源１１を採用している。
【００１６】
ＬＥＤ光源１１は、これを制御する基盤１２と接続されて、ドアノブ（不図示）の操作に基づいて（ドア２の開成に同期して）点灯し、ドア２の閉成に同期して消灯するように制御されている。
【００１７】
ＬＥＤ光源１１の射出光は、導光体１３の内部の所定位置に導光されることによって、導光体１３外部の種々の方向へ射出され、乗員乗降時に足元の照射を行い、また、車両の後方、車両側方及び前方の種々の方向にドア開成に関わる注意喚起のために照射を行い、所謂カーテシランプとしての機能を発揮する。
以下、この導光体１３を備えた灯具１の具体的構成を説明する。
【００１８】
図１及び図２Ａ及び図２Ｂに示されるように、導光体１３は、シリコン性の固定材１４に固着され、この固定材１４がアウタパネル２１の車両後方側縁部であるフランジ２１１の車室側において、両面テープ４によって固定されて取り付けられている。そして、固定材１４における光の吸収を低減すべく、固定材１４の車両後方側の端面と導光体１３との間に空洞部１５を設けている。
また、導光体１３は、ＬＥＤ光源１１の外部からの視認性を向上させることによって灯具１のコンパクト化を図るため、透明樹脂のみから形成されている。
【００１９】
ＬＥＤ光源１１は、この導光体１３に近接して配置され、射出光が車両後方に光軸を有するように設定されており、基盤１２とともに固定材１４に固着されている。
このＬＥＤ光源１１は、単独で用いてもよいが、図３に示されるように、実施例１の灯具１では、複数のＬＥＤ光源１１が並列に配置されて用いられている。
【００２０】
また、外部電源（不図示）から基盤１２に電流を供給するハーネスコード１６は、基盤１２の上下方向の中央から引き出して、灯具１が左右のドア２に取り付けられる場合にあってのハーネスコード１６の配線に必要なドア２側の設計仕様の一様化を図っている（図３参照）。
【００２１】
ここで、導光体１３の一部は、フランジ２１１の位置において車室側から車外側に湾曲して形成されるとともに、ドア２のフランジ２１１及びドア２´（リアドア）のフランジ２１１´との間隙において、これらのドアが閉じた状態にあっても車外に露呈する（車外から視認できる）ように露呈部１７が形成されている。
【００２２】
この導光体１３の湾曲した部分（第一湾曲部）１８は、ＬＥＤ光源１１の射出光を車両後方に透過する透過面（第一透過面）１８１、補助透過面１８２、及び、全反射作用によって導光体１３の露呈部１７の端面（車両側方）に向けて効率よく方向変換する反射面（第一反射面）１８３が形成されている。そして、露呈部１７１の端面は、射出光の透過面となっている。
なお、「透過面」及び「反射面」は、別途設けられるものではなく、導光体１３の形状作用によって機能の観点から領域を分離して称呼したものであり、導光体１３の一部である。下記「入射面」も同様である。
【００２３】
また、導光体１３には、前記ＬＥＤ光源１１の射出光の光軸に対向する位置に、この射出光の入射面１３１が形成されている。
この入射面１３１は、ＬＥＤ光源１１の射出光の光軸が、第一透過面１８１、補助透過面１８２及び第一反射面１８３から成る第一湾曲部１８が位置する方向に屈折され、かつ、極力各面に平行に入射するように成形されている。
【００２４】
以上説明した導光体１３を備えた灯具１の車両における取り付け部位は、図４に示されるようにドア２において上下方向中央よりも上部である。
【００２５】
このように取り付けられる灯具１の寸法は、導光体１３の寸法に依存し、大体にして、上下方向に７５ｍｍ、車両前後方向に１０ｍｍである。このうち、フランジ２１１の車室側に位置する部分（車両前方側端点から湾曲開始点まで部分）は車両前後方向に８ｍｍ、車幅方向に３．５ｍｍであり、湾曲して車外側に伸びる部分は、車両前後方向に２ｍｍ、車幅方向に３．５ｍｍである。また、ＬＥＤ光源１１は、車幅方向に１．７ｍｍである（図３参照）。
【００２６】
次に、作用を説明する。
実施例１の灯具１の構成によると、ドアノブ（不図示）が操作されると基盤１２の制御によってこのドアノブ操作（ドア２の開成）に同期してＬＥＤ光源１１が点灯し、その射出光が導光体１３に設けられた入射面１３１から導光体１３の内部へ入射される。
【００２７】
このとき、灯具１がアウタパネル２１の車両後方側の縁部であるフランジ２１１に設けられているため、灯具１（導光体１３）の一部を車外に露呈させるとともに他側を車室に位置するように形成することができる。
このため、ドア２がわずかに開いた状態であっても、車両外部の第三者によって灯具２の光源乃至この射出光が容易に視認されるとともに、ドア２の内側から外側にかけての照射機能が維持される。
【００２８】
この灯具１では、上記構成の採用と併せ、導光体１３に、光源の射出光の一部を車両の後方に透過して射出するための透過面（第一透過面）１８１及び車両の後方と側方の合成方向に透過して射出するための補助透過面１８２と、この射出光の他の一部をこの導光体１３の車外に露呈した部分（露呈部）１７の透過面１７１に向けて反射する反射面（第一反射面）１８３とから構成される湾曲部（第一湾曲部）１８を設けている。
即ち、射出光のうち第一反射面１８３で反射されない部分は、第一透過面１８１から透過して車両後方に射出され、同様に、補助透過面１８２から透過して前記合成方向に射出され、一方、射出光のうち第一反射面１８３で反射された部分は、導光体１３の露呈部１７の透過面１７１に効率よく導光されて、この透過面１７１から車両側方に透過して射出される。
【００２９】
このため、実施例１の灯具１にあっては、ドア２がわずかに開かれた状態であっても、車両の後方から側方の第三者によって射出光が視認され、更に、ドア２が一定量以上開かれた状態にあっては、車両前方の第三者によっても射出光が視認される（図４参照）。
【００３０】
ここで、この灯具１では、ＬＥＤ光源１１の射出光は、車両後方のみならず車両側方へも配光されるが、これはフランジ２１１の車室側から車外側へ湾曲して成る第一湾曲部１８の形状が担っている。
ここで、第一湾曲部１８に形成された第一反射面１８３は、ＬＥＤ光源１１の射出光が全反射作用によって露呈部１７の透過面１７１に動向されるように形成されているが、これと併せて、ＬＥＤ光源１１は、射出光が車両後方向に光軸を有するように設定され、加えて、導光体１３には、射出光の光軸を、第一反射面１８３を含む第一湾曲部１８の位置する方向へ指向させて屈折させる入射面１３１が形成されている。
このため、入射面１３１から入射したＬＥＤ光源１１の射出光には、第一反射面１８３の全反射作用が効率よく及ぶこととなり、第一湾曲部１８内側の曲率を小さくしても導光体１３の導光機能が損なわれない（必要以上に透過面１８１及び１８２から透過しない）。即ち、この構成よると、導光体１３の導光機能を損なうことなく、灯具１の車両前後方向の寸法のコンパクト化が図られる。
【００３１】
次に、効果を説明する。
実施例１の車両用灯具にあっては、下記に列挙する効果を得ることができる。
【００３２】
実施例１の灯具１は、導光体１３の一部分がフランジ内側面（車室側）にあり、他の部分が車外に露呈していることから、ドア２がわずかに開かれた状態であっても、乗員の乗降時に足元を照らす機能に加えて、車両の後方から側方の第三者によって射出光が視認され、更に、ドア２が一定量以上開かれた状態にあっては、車両前方の第三者によっても射出光が視認される。このため、この灯具１、ドア開成に関わる注意喚起機能に優れた灯具となる。
【００３３】
またＬＥＤ光源１１を使用しているため、灯具１のコンパクト化が図られ、種々の位置に取り付けることができ、従って、前記注意喚起機能に優れた灯具を容易に実現できる。
実施例１の灯具１は、ドア２の上下方向中央よりも上方に位置するフランジ２２１の僅かな間隙に取り付けられており（図４参照）、このように取り付けた場合は、車両外部の車両乗員や歩行者の目線に近い位置に光源が位置し、被視認性が高くドア開成に関わる注意喚起機能が一層優れたものとなる。
【００３４】
さらに、ＬＥＤ光源１１の射出光を導光体１３内部で効率よく導光するための第一湾曲部１８及び入射面１３１が形成されているため、所定の方向に所望の光量を効率よく配光することができ、前記コンパクト化を容易に図ることができる。
【００３５】
また、光源がＬＥＤであるため、灯具１の色彩のバリエーションを増やすことができることに加えて、灯具１の寸法は小さいため、種々の部位に取り付けることができる。このため、所謂カーテシランプ機能のみならず、イルミネーションとしても使用でき、汎用性に優れ、車両用灯具としての付加価値が向上する。
【００３６】
〔実施例２〕
はじめに、構成を説明する。
なお、実施例１と共通する構造、取り付け位置、取り付け方法は説明を省略し、以下、実施例２の灯具１において特徴となる構成等について説明する。
【００３７】
図５に示されるように、実施例２の灯具１は、実施例１の灯具１の構成に加えて、第二湾曲部１９を有する。
即ち、図６Ａ及び図６Ｂに示されるように、この灯具１は、アウタパネル２１のフランジ２１に取り付けられており、この灯具１を構成する導光体１３の一部（固定部よりも車両後方側）は、このフランジ２１１の内側面（車室側）から車外側に湾曲する第一湾曲部１８が形成されるとともに、この一部は、更に、フランジ２１１と車両前後方向で重なるように湾曲する第二湾曲部１９が形成されている。
なお、灯具１は、その導光体１３の車幅方向を延長することによって、フランジ２１１の厚さ如何によらず取り付けることができる（６図Ａ及び図６Ｂの比較参照）。いずれの取り付け方によっても、照射の可能範囲に大差はない。
【００３８】
この第二湾曲部１９には、射出光の一部を車両側方向に透過する第二透過面１９１及び射出光の他の一部を導光体１３の一部の車両前方側の端部、即ち、フランジ２１１と車両前後方向で重なる部分の車両前方側の先端部に向けて反射する第二反面１９２が形成されている。
【００３９】
次に、作用を説明する。
実施例２の灯具１は、実施例１の灯具１の作用に加えて、下記のように作用する。
【００４０】
図５に示されるように、ＬＥＤ光源１１の射出光は、実施例１の灯具１と同様にして第一反射面１８３で反射される。この反射光は、第二湾曲部１９に到達し、その一部は、第二湾曲部１９に形成された第二透過面１９１から車両側方に透過されて射出される。
また、この射出光のうち第二透過面１９１から透過されない部分は、第二湾曲部１９に形成された第二反射面１９２の全反射作用によって、先端の透過面１９３に導光され、この透過面１９３から透過して車両前方に射出される。
【００４１】
このため、実施例２の灯具１にあっては、ドアノブ（不図示）の操作に同期して、車両の後方から前方の広い範囲が照射される（図７参照）。
次に、効果を説明する。
【００４２】
実施例２の灯具１は、実施例１の灯具１の効果に加えて、下記の効果を奏する。
即ち、この灯具１は、導光体１３の一部が、フランジ２１１と車両前後方向で重なるように湾曲する第二湾曲部１９が形成されているため、乗員によるドアノブの操作に同期して（ドアの開成の有無に関わらず）、車両側方のほか、車両前方の第三者によってもＬＥＤ光源１１の射出光が視認され、実施例１の灯具１よりもドア開成に関わる注意喚起に優れた灯具となる。
【００４３】
以上、実施例について説明したが、本発明は、本実施例に限定されるものではなく、特許請求の範囲に係る発明の要旨を逸脱しない限り、設計の変更や追加等は許容される。
【００４４】
たとえば、車両であれば、フロントドアのみならずリアドアを対象とし、また、本実施例の灯具１が適用された片開きのドアのみならず、スライド式のドアであっても取り付けることができることは言うまでもない。
また、光源として、車両用ドアの開成に同期して点灯する光源に代えて、ドアのロック解除に同期して点灯するものを用いると、乗員の乗降時のみ点灯させることができる。キーレスエントリーを採用する車両にあっては、リモコン操作によるドアのロック解除に同期して点灯させるようにしてもよい。この場合、露呈部が形成されていることによって、車両外部の第三者に対するドア開成に関する注意喚起が一層早期に行われるようになる。
さらに、車内設置のスイッチの操作等によって任意に光源を点灯させて、導光体の露呈部から視認される射出光のイルミネーションとしての効果を向上させるようにしてもよい。
【図面の簡単な説明】
【００４５】
【図１】実施例１の灯具の構造を示す図である（車両上方から下方に向かって見た場合）。
【図２Ａ】実施例１の灯具が、該灯具の導光体の先端がドアフランジの外表面に隣接するように取り付けられた様子を示す図である。
【図２Ｂ】実施例１の灯具が、該灯具の導光体の先端がドアフランジの外表面から大きく沈んで位置するように取り付けられた様子を示す図である。
【図３】実施例１の灯具のＬＥＤ光源の配置等を示す図であり、車両の各方向から見た図である。
【図４】ドアの開閉状態と実施例１の灯具の射出光との関係、並びにこの灯具のドアにおける取り付け位置を示す図である。
【図５】実施例２の灯具の構造を示す図である（車両上方から下方に向かって見た場合）。
【図６Ａ】実施例２の灯具が、ドアフランジが比較的薄い車両用ドアに取り付けられた様子を示す図である。ドアフランジが比較的厚い場合の導光体の形状を示す図である。
【図６Ｂ】実施例２の灯具が、ドアフランジが比較的厚い車両用ドアに取り付けられた様子を示す図である。
【図７】ドアの開閉状態と実施例２の灯具の射出光との関係、並びにこの灯具のドアにおける取り付け位置を示す図である。
【符号の説明】
【００４６】
１  車両用灯具，
１１  ＬＥＤ光源（光源），
１３  導光体，
１３１  入射面
１７  露呈部，
１８  第一湾曲部，
１８１  第一透過面（透過面），
１８３  第一反射面（反射面），
１９  第二湾曲部，
１９１  第二透過面（透過面），
１９２  第二反射面（反射面），
２  車両用ドア，
２１  アウタパネル，
２１１  フランジ（縁部）
【図１】
2008265481.tif 000003
【図２Ａ】
2008265481.tif 000004
【図２Ｂ】
2008265481.tif 000005
【図３】
2008265481.tif 000006
【図４】
2008265481.tif 000007
【図５】
2008265481.tif 000008
【図６Ａ】
2008265481.tif 000009
【図６Ｂ】
2008265481.tif 000010
【図７】
2008265481.tif 000011